(57)【要約】【課題】予告演出によって遊技者の遊技意欲を喚起しつつ、いわゆるアウト数の低下を抑制して遊技ホールの稼働率を高く維持する。【解決手段】図柄始動条件の成立に基づいて乱数値を記憶し、変動開始条件が成立した場合にその乱数値が判定値と一致するか否かを判定すると共に図柄を変動表示し、乱数値が判定値と一致する旨の判定結果が得られることに基づいて停止図柄が特定態様となった場合に利益状態を発生させ、図柄変動開始時よりも前に、乱数値が判定値と一致するか否かについて先読み判定を行い、その先読み判定結果に基づいて予告演出を行う遊技機で、先読み判定の対象である乱数値に対応する保留表示画像Ｘを先読み判定結果に基づく態様で表示する予告演出を、その先読み判定直後（ｄ）ではなく、その先読み判定後に保留個数が１個増加すること（図柄始動条件が一以上の所定回数成立すること）を条件に行う（ｅ〜ｇ）ように構成する。【選択図】図９
2015020016.tif 000002
【特許請求の範囲】
【請求項１】
所定の図柄始動条件が成立することに基づいて取得した乱数値を記憶する先入れ先出し式の乱数記憶手段と、
所定の変動開始条件が成立した場合に、前記乱数記憶手段から取り出した前記乱数値が所定の判定値と一致するか否かを判定する変動開始時判定手段と、
前記変動開始時判定手段による判定結果に基づいて図柄を変動表示する図柄表示手段と、
前記変動開始時判定手段により前記乱数値が前記判定値と一致する旨の判定結果が得られることに基づいて前記図柄表示手段の変動後の停止図柄が特定態様となった場合に利益状態を発生させる利益状態発生手段と、
前記変動開始時判定手段による前記判定よりも前の所定のタイミングで、前記乱数値が前記判定値と一致するか否かについて先読み判定を行う先読み判定手段と、
前記先読み判定の結果に基づいて前記利益状態の発生に関する予告演出を制御する予告演出制御手段とを備えた
遊技機において、
前記先読み判定の結果に基づく前記予告演出を、その先読み判定後に前記図柄始動条件が一以上の所定回数成立することを条件に行う
ことを特徴とする遊技機。
【請求項２】
前記乱数記憶手段に記憶され且つ前記変動開始時判定手段による判定に供されていない前記乱数値の数である保留個数を、その保留個数分の保留表示部を保留表示態様とすることにより報知する保留個数報知制御手段を備え、
前記予告演出制御手段は、前記先読み判定の結果に基づく前記予告演出を、その先読み判定の対象となった前記乱数値に対応する前記保留表示部を複数種類の予告態様の何れかとすることにより行う
ことを特徴とする請求項１に記載の遊技機。
【請求項３】
前記先読み判定の結果が得られた場合に、その後に前記図柄始動条件が前記所定回数成立した時点で新たに前記保留表示態様となる前記保留表示部の位置又はその近傍で予告演出実行条件報知表示を行う
ことを特徴とする請求項２に記載の遊技機。
【請求項４】
画像表示手段に予告演出実行条件報知画像を表示することにより前記予告演出実行条件報知表示を行うように構成し、
前記図柄始動条件が前記所定回数成立することによって前記予告演出を実行する場合に、前記予告演出の実行に合わせて前記予告演出実行条件報知画像による演出を行う
ことを特徴とする請求項３に記載の遊技機。
【請求項５】
前記先読み判定後に前記図柄始動条件が前記所定回数成立するまでに前記図柄表示手段による図柄変動が新たに開始された場合には、前記保留表示部の表示と共に前記予告演出実行条件報知表示をシフトする
ことを特徴とする請求項３又は４に記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、図柄始動手段に遊技球が入賞する等、所定の図柄始動条件が成立することに基づいて乱数値を取得すると共にその乱数値を先入れ先出し式の乱数記憶手段に記憶し、先の図柄変動が終了する等の所定の変動開始条件が成立した場合に、乱数記憶手段から乱数値を取り出して所定の判定値と一致するか否かを変動開始時判定手段により判定すると共に図柄表示手段による図柄の変動表示を行い、変動開始時判定手段により乱数値が判定値と一致する旨の判定結果が得られることに基づいて図柄表示手段の変動後の停止図柄が特定態様となった場合に、利益状態を発生させるように構成したものが一般的である。
【０００３】
この種の遊技機では、変動開始時判定手段による判定よりも前の所定のタイミング、例えば図柄始動条件の成立時に、取得された乱数値が判定値と一致するか否かについて先読み判定を行い、その先読み判定結果に基づいて利益状態の発生に関する予告演出を行うように構成したものもある。この予告演出は、例えば保留個数を報知するための保留表示画像を、先読み判定結果に基づいて選択された予告態様で表示することにより行われる（特許文献１参照）。
【先行技術文献】
【特許文献】
【０００４】
【特許文献１】特開２０１２−２１７７８９号公報
【発明の概要】
【発明が解決しようとする課題】
【０００５】
このような先読み判定結果に基づく予告演出を行う場合、新たな保留記憶に対して利益状態発生の可能性が高いことを示す予告演出が出現すると、遊技者の期待感を高めて遊技意欲を喚起できる一方、遊技者はその保留記憶に対応する図柄変動が終了するまで発射操作を停止してしまう場合があり、いわゆるアウト数の低下によって遊技ホールの稼働効率が低下する問題があった。
【０００６】
本発明は上記事情に鑑みてなされたものであり、予告演出によって遊技者の遊技意欲を喚起しつつ、いわゆるアウト数の低下を抑制して遊技ホールの稼働率を高く維持できる遊技機を提供することを目的とする。
【課題を解決するための手段】
【０００７】
本発明は、所定の図柄始動条件が成立することに基づいて取得した乱数値を記憶する先入れ先出し式の乱数記憶手段６３と、所定の変動開始条件が成立した場合に、前記乱数記憶手段６３から取り出した前記乱数値が所定の判定値と一致するか否かを判定する変動開始時判定手段６４ａと、前記変動開始時判定手段６４ａによる判定結果に基づいて図柄を変動表示する図柄表示手段３２と、前記変動開始時判定手段６４ａにより前記乱数値が前記判定値と一致する旨の判定結果が得られることに基づいて前記図柄表示手段３２の変動後の停止図柄が特定態様となった場合に利益状態を発生させる利益状態発生手段６６と、前記変動開始時判定手段６４ａによる前記判定よりも前の所定のタイミングで、前記乱数値が前記判定値と一致するか否かについて先読み判定を行う先読み判定手段６８と、前記先読み判定の結果に基づいて前記利益状態の発生に関する予告演出を制御する予告演出制御手段７４とを備えた遊技機において、前記先読み判定の結果に基づく前記予告演出を、その先読み判定後に前記図柄始動条件が一以上の所定回数成立することを条件に行うように構成したものである。
【０００８】
また、前記乱数記憶手段６３に記憶され且つ前記変動開始時判定手段６４ａによる判定に供されていない前記乱数値の数である保留個数を、その保留個数分の保留表示部Ａ１〜Ａ４を保留表示態様とすることにより報知する保留個数報知制御手段７４を備え、前記予告演出制御手段７４は、前記先読み判定の結果に基づく前記予告演出を、その先読み判定の対象となった前記乱数値に対応する前記保留表示部Ａ１〜Ａ４を複数種類の予告態様の何れかとすることにより行うようにしてもよい。
【０００９】
この場合、前記先読み判定の結果が得られた場合に、その後に前記図柄始動条件が前記所定回数成立した時点で新たに前記保留表示態様となる前記保留表示部の位置又はその近傍で予告演出実行条件報知表示を行うようにしてもよい。また、画像表示手段２９に予告演出実行条件報知画像Ｙを表示することにより前記予告演出実行条件報知表示を行うように構成し、前記図柄始動条件が前記所定回数成立することによって前記予告演出を実行する場合に、前記予告演出の実行に合わせて前記予告演出実行条件報知画像Ｙによる演出を行うようにしてもよい。
【００１０】
また、前記先読み判定後に前記図柄始動条件が前記所定回数成立するまでに前記図柄表示手段３２による図柄変動が新たに開始された場合には、前記保留表示部Ａ１〜Ａ４の表示と共に前記予告演出実行条件報知表示をシフトするようにしてもよい。
【発明の効果】
【００１１】
本発明によれば、予告演出によって遊技者の遊技意欲を喚起しつつ、いわゆるアウト数の低下を抑制して遊技ホールの稼働率を高く維持できる。
【図面の簡単な説明】
【００１２】
【図１】本発明の一実施形態におけるパチンコ機の全体正面図である。
【図２】同パチンコ機の制御系のブロック図である。
【図３】同パチンコ機の保留減少コマンド及び保留増加コマンドの一例を示す図である。
【図４】同パチンコ機の特別保留個数表示制御処理のフローチャートである。
【図５】同パチンコ機の保留減少時処理のフローチャートである。
【図６】同パチンコ機の保留増加時処理のフローチャートである。
【図７】同パチンコ機の保留表示画像における非予告態様と予告態様、及び予告態様抽選テーブルの一例を示す図である。
【図８】同パチンコ機の保留表示部の説明図である。
【図９】同パチンコ機の先読み予告演出における保留増加時の具体例を示す図である。
【図１０】同パチンコ機の先読み予告演出における保留減少時の具体例を示す図である。
【発明を実施するための形態】
【００１３】
以下、本発明の実施形態を図面に基づいて詳述する。図１〜図１０は本発明をパチンコ機に採用した一実施形態を例示している。図１において、遊技機本体１は、矩形状の外枠２と、この外枠２の前側に左右一側、例えば左側のヒンジ３により開閉自在に枢着された前枠４とを備えている。前枠４の前側には、ガラス扉５と前面板６とが上下に配置され、夫々ヒンジ３と同じ側のヒンジ７により前枠４に開閉自在に枢支されている。
【００１４】
前面板６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々設けられている。更に、上皿８等を前側から覆う上皿カバー１１上には、例えば左右方向の略中央に、遊技者が操作可能な演出ボタン１２等が設けられている。
【００１５】
前枠４には、ガラス扉５の後側に対応して遊技盤２１が着脱自在に装着されている。遊技盤２１の前面側には、発射手段から発射された遊技球を案内するガイドレール２２が環状に装着されると共に、そのガイドレール２２の内側の遊技領域２３に、センターケース２４、普通図柄始動手段２５、特別図柄始動手段２６、大入賞手段２７、普通入賞手段２８等の各種遊技部品が配置されている。また、センターケース２４には、液晶式等の画像表示手段２９の他、普通図柄表示手段３１、特別図柄表示手段３２、普通保留個数表示手段３３等が設けられている。
【００１６】
普通図柄表示手段３１は、普通図柄を変動表示するためのもので、例えば「○」「×」の２種類の普通図柄に対応する２個の発光体（例えばＬＥＤ）により構成されており、通過ゲート等よりなる普通図柄始動手段２５が遊技球を検出することを条件にそれら２つの発光体が所定時間交互に点滅して、普通図柄始動手段２５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１７】
また、普通図柄表示手段３１の変動表示中、又は後述する普通利益状態中に普通図柄始動手段２５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段３３がその発光個数により当たり判定乱数値の記憶個数（以下、普通保留個数という）を表示して、その時点での普通保留個数を遊技者に報知するようになっている。
【００１８】
特別図柄始動手段２６は、特別図柄表示手段３２による図柄変動を開始させるためのもので、上下２つの特別始動口２６ａ，２６ｂと、下特別始動口２６ｂを開閉する開閉手段３９とを備え、例えばセンターケース２４の下側に配置されている。上特別始動口２６ａは、開閉手段等を有しない非作動式入賞口である。下特別始動口２６ｂは、開閉手段３９により遊技球が入賞可能な開状態と入賞不可能な閉状態とに切り換え可能な作動式入賞口で、普通図柄表示手段３１の変動後の停止図柄が当たり態様となって普通利益状態が発生したときに、所定の開閉パターンに従って所定時間×所定回数開状態に切り替えられるようになっている。
【００１９】
特別図柄表示手段（図柄表示手段）３２は、１個又は複数個、例えば１個の特別図柄を変動表示可能な７セグメント式等の表示手段により構成されており、特別図柄始動手段２６が遊技球を検出すること、即ち上下２つの特別始動口２６ａ，２６ｂの何れかに遊技球が入賞すること（所定の図柄始動条件の一例）に基づいて特別図柄を所定時間変動表示して、特別始動口２６ａ，２６ｂへの入賞時に取得された大当たり判定乱数値（乱数値）が予め定められた大当たり判定値（判定値）と一致する場合には所定の大当たり態様（特定態様）で、それ以外の場合には外れ態様で停止するようになっている。
【００２０】
なお、大当たり態様及び外れ態様には夫々数字図柄等を割り当ててもよいし、遊技者がその特別図柄の種類を容易に区別できないように、任意の線や点の組み合わせのような特別な意味を持たない図柄を割り当ててもよい。
【００２１】
また、特別図柄の変動表示中、又は後述する特別利益状態中に特別始動口２６ａ，２６ｂに遊技球が入賞した場合には、その入賞時に取得された大当たり判定乱数値等が夫々所定の上限保留個数、例えば各４個を限度として記憶されると共に、例えば画像表示手段２９上に大当たり判定乱数値の記憶個数（以下、特別保留個数という）を示す保留表示画像Ｘを表示して、その時点での特別保留個数を遊技者に報知するようになっている。
【００２２】
また、画像表示手段２９には、例えば特別図柄表示手段３２による特別図柄の変動表示と同期して演出図柄３４が変動表示される他、後述する選択演出等における各種演出画像が遊技状態に応じて表示されるようになっている。
【００２３】
ここで、演出図柄３４は、１個又は複数個、例えば左右方向に３個の数字図柄等で構成されており、特別図柄始動手段２６が遊技球を検出すること、即ち上下２つの特別始動口２６ａ，２６ｂの何れかに遊技球が入賞することを条件に特別図柄の変動開始と同時に所定の変動パターンに従って変動を開始すると共に、特別図柄の変動停止と同時に最終停止するように、左、右、中等の所定の順序で停止するようになっている。
【００２４】
なお本実施形態では、特別図柄が大当たり態様で停止する場合には演出図柄３４も大当たり態様で停止し、特別図柄が外れ態様で停止する場合には演出図柄３４も外れ態様で停止するものとする。ここで、演出図柄３４の停止図柄態様については、大当たり態様は複数（３つ）の図柄が全て同じ図柄で揃った「ぞろ目」の停止図柄態様、外れ態様は複数（３つ）の図柄のうちの少なくとも１つが他と異なる「非ぞろ目」の停止図柄態様で構成されているものとする。
【００２５】
大入賞手段２７は、遊技球が入賞可能な開状態と入賞不可能な閉状態とに切り換え可能な開閉板４０を備えた作動式入賞手段で、特別図柄表示手段３２の変動後の特別図柄が大当たり態様（特定態様）となって特別利益状態が発生したときに、開閉板４０が所定の開放パターンに従って前側に開放して、その上に落下した遊技球を内部へと入賞させるようになっている。
【００２６】
図２は本パチンコ機の制御系のブロック図である。図２において、４１は主制御基板、４２は演出制御基板で、これら各制御基板４１，４２は、遊技盤２１に装着されたセンターケース２４、その他の複数個の遊技部品を裏側から一括して覆う裏カバーの裏側等、前枠４及び遊技盤２１を含む遊技機本体１の裏側の適宜箇所に着脱自在に装着された基板ケースに夫々収納されている。
【００２７】
主制御基板４１は、遊技動作を統括的に制御するもので、ＣＰＵ，ＲＯＭ，ＲＡＭ等により構成される普通乱数作成処理手段５１、普通始動口チェック処理手段５２、普通乱数記憶手段５３、普通図柄処理手段５４、普通図柄表示制御手段５５、普通利益状態発生手段５６、特別乱数作成処理手段６１、特別始動口チェック処理手段６２、特別乱数記憶手段６３、特別図柄処理手段６４、特別図柄表示制御手段６５、特別利益状態発生手段６６、特別遊技状態発生手段６７、先読み判定手段６８、コマンド送信手段６９等を備えている。
【００２８】
普通乱数作成処理手段５１は、変動後の普通図柄を当たり態様とするか否かの判定に用いる当たり判定乱数等を所定時間毎に繰り返し発生するように構成されている。普通始動口チェック処理手段５２は、普通図柄始動手段２５による遊技球の検出に基づく処理を行うもので、普通図柄始動手段２５が遊技球を検出することに基づいて、普通乱数作成処理手段５１で作成された当たり判定乱数値等を１個ずつ取得し、その当たり判定乱数値等を予め定められた上限保留個数（例えば各４個）を限度として先入れ先出し式の普通乱数記憶手段５３に記憶させるように構成されている。
【００２９】
普通図柄処理手段５４は、普通図柄の変動表示に関する処理を行うもので、普通図柄表示手段３１が変動表示可能な状態となり且つ普通乱数記憶手段５３に１個以上の当たり判定乱数値が記憶されていること（普通保留個数が１以上であること）を条件に、普通乱数記憶手段５３に記憶されている当たり判定乱数値の待ち行列からその先頭の当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００３０】
普通図柄表示制御手段５５は、普通図柄処理手段５４による普通図柄処理に基づいて普通図柄表示手段３１の表示制御を行うもので、普通図柄表示手段３１が変動表示可能な状態となり且つ普通乱数記憶手段５３に１個以上の当たり判定乱数値が記憶されていること（普通保留個数が１以上であること）を条件に普通図柄表示手段３１による普通図柄の変動を開始させ、普通図柄処理手段５４で選択された変動時間が経過することに基づいて、同じく普通図柄処理手段５４で選択された停止図柄で普通図柄の変動を停止させるようになっている。
【００３１】
普通利益状態発生手段５６は、普通図柄処理手段５４による判定結果が当たり判定となり、普通図柄表示手段３１の変動後の停止図柄が当たり態様となった場合に、下特別始動口２６ｂの開閉手段３９を例えば複数種類の開閉パターンの何れかに従って開状態に変化させるようになっている。
【００３２】
特別乱数作成処理手段６１は、大当たり／外れの判定に用いる大当たり判定乱数の他、大当たり判定の場合の停止図柄態様の選択に用いる大当たり図柄乱数、外れ判定の場合の停止図柄の選択に用いる外れ図柄乱数、演出図柄３４の変動パターンの選択に用いる変動パターン乱数、その他の所定の乱数を繰り返し発生する特別乱数作成処理を行うように構成されている。
【００３３】
特別始動口チェック処理手段６２は、特別図柄始動手段２６への遊技球の入賞に基づく処理を行うもので、特別図柄始動手段２６が遊技球を検出すること、即ち特別始動口２６ａ，２６ｂの何れかに遊技球が入賞することに基づいて（所定の図柄始動条件の成立の一例）、特別乱数作成処理手段６１で作成された大当たり判定乱数値、大当たり図柄乱数値等を１個ずつ取得し、それら大当たり判定乱数値、大当たり図柄乱数値等を予め定められた上限保留個数（例えば各４個）を限度として先入れ先出し式の特別乱数記憶手段（乱数記憶手段）６３に記憶させるように構成されている。
【００３４】
特別図柄処理手段６４は、特別図柄の変動表示に関する処理を行うもので、大当たり判定手段６４ａ、特別停止図柄選択手段６４ｂ、変動パターン選択手段６４ｃ等を備えている。大当たり判定手段（変動開始時判定手段）６４ａは、乱数抽選により大当たり／外れの判定を行うもので、特別図柄表示手段３２が変動表示可能な状態となり且つ特別乱数記憶手段６３に１個以上の大当たり判定乱数値が記憶されていること（特別保留個数が１以上であること）を条件に（所定の変動開始条件の成立の一例）、特別乱数記憶手段６３に記憶されている大当たり判定乱数値の待ち行列からその先頭の大当たり判定乱数値（乱数値）を取り出し、その大当たり判定乱数値が予め定められた大当たり判定値（判定値）と一致するか否かに応じて大当たり／外れの判定を行うように構成されている。
【００３５】
特別停止図柄選択手段６４ｂは、特別図柄の変動後の停止図柄の種類を選択するもので、例えば大当たり判定手段６４ａによる判定結果が大当たりであった場合には、特別乱数記憶手段６３に大当たり判定乱数値と共に記憶されている大当たり図柄乱数値に基づいて例えば複数種類の大当たり態様の何れかを選択し、大当たり判定手段６４ａによる判定結果が外れであった場合には例えば複数種類の外れ態様の何れかを抽選等により選択するように構成されている。
【００３６】
変動パターン選択手段６４ｃは、演出図柄３４の変動パターンを複数種類の中から選択するもので、所定の変動パターン選択テーブルを用いて、変動パターン乱数による抽選により変動パターンを択一的に選択するようになっている。
【００３７】
特別図柄表示制御手段６５は、特別図柄表示手段３２の表示制御を行うもので、特別図柄処理手段６４による特別図柄処理に基づいて特別図柄表示手段（図柄表示手段）３２による特別図柄（図柄）の変動を開始させると共に、変動パターン選択手段６４ｃにより選択された演出図柄３４の変動パターンに対応する変動時間が経過することに基づいて、特別停止図柄選択手段６４ｂにより選択された停止図柄で特別図柄の変動を停止させるようになっている。
【００３８】
特別利益状態発生手段（利益状態発生手段）６６は、大入賞手段２７を所定の開放パターンに従って開放する特別利益状態（利益状態）を発生させるためのもので、大当たり判定手段６４ａによる判定結果が大当たり判定となり、特別図柄表示手段３２による特別図柄の変動後の停止図柄が大当たり態様（特定態様）となった場合に特別利益状態を発生させるようになっている。本実施形態における大入賞手段２７の開放パターンは、大入賞手段２７の開放から所定時間（例えば２８秒）経過するか、それまでに所定個数（例えば９個）の遊技球が入賞することを条件に大入賞手段２７を閉鎖する動作を、所定ラウンド数（例えば１５ラウンド）行うように設定されているものとするが、複数種類の開放パターンを設け、例えば大当たり図柄乱数値に基づいてそれらの何れかを選択するように構成してもよい。
【００３９】
特別遊技状態発生手段６７は、特別利益状態発生後の所定期間に遊技者に有利な特別遊技状態を発生させるためのもので、例えば特別乱数記憶手段６３に記憶された大当たり判定乱数値が大当たり判定値と一致した場合の大当たり図柄乱数値に基づいて、その大当たり図柄乱数値が所定の確変判定値と一致しない場合には時短状態を、一致する場合には確変状態を夫々発生させるように構成されている。
【００４０】
時短状態中は、特別図柄に関して特別図柄表示手段３２の変動時間が通常変動時間よりも短い短縮変動時間に切り換えられる他、普通図柄に関して、当たり確率が通常確率（例えば１／１０）から高確率（例えば１／１．３）へ、変動時間が通常変動時間（例えば２７秒）から短縮変動時間（例えば２．７秒）へ、下特別始動口２６ｂの開閉手段３９の開閉パターンが通常開閉パターン（例えば０．２秒×１回開放）から延長開閉パターン（例えば２秒×３回開放）へ、夫々切り換えられるようになっている。この時短状態は、例えば特別利益状態が終了した時点で発生し、その後に特別図柄が所定回数（例えば５０回）変動するか、それまでに次の特別利益状態が発生した時点で終了する。
【００４１】
確変状態中は、それ以外の通常確率状態中よりも大当たり判定値の数が例えば１個から１０個へ増加されることにより、特別図柄が大当たり態様となる確率が通常確率（例えば１／３５０）よりも高い高確率（例えば１／３５）に切り換えられると共に、例えば時短状態と同様の処理も併せて行われるようになっている。この確変状態は、特別利益状態が終了した時点で発生し、例えば次の特別利益状態が発生した時点で終了する。
【００４２】
先読み判定手段６８は、特別図柄始動手段２６が遊技球を検出したときに取得される大当たり判定乱数値（乱数値）等を、大当たり判定手段（変動開始時判定手段）６４ａによる判定よりも前の所定のタイミング、例えばそれらの乱数値を取得した時点で先読み判定するもので、例えばその大当たり判定乱数値が大当たり判定値と一致するか否か、及び大当たり図柄乱数値が確変判定値と一致するか否かに応じて、例えば大当たり判定乱数値が大当たり判定値と一致しない「外れ保留記憶」、大当たり判定乱数値が大当たり判定値と一致し且つ大当たり図柄乱数値が確変判定値と一致しない「通常大当たり保留記憶」、大当たり判定乱数値が大当たり判定値と一致し且つ大当たり図柄乱数値が確変判定値と一致する「確変大当たり保留記憶」の何れであるかを判定するようになっている。
【００４３】
コマンド送信手段６９は、所定の制御コマンドを一方向通信により演出制御基板４２等のサブ制御基板側に送信して制御指令を与えるためのもので、特別図柄処理手段６４による特別図柄処理に基づいて、特別図柄の変動開始時に、減少後の特別保留個数を指定する保留減少コマンド、演出図柄３４の変動パターンを指定する変動パターン指定コマンド、特別図柄の変動後の停止図柄を指定する停止図柄コマンドを例えばこの順序で演出制御基板４２側に送信し、特別図柄の変動終了時に演出図柄３４の変動停止を指示する変動停止コマンドを演出制御基板４２側に送信する機能、特別図柄始動手段２６による遊技球検出時に増加後の特別保留個数等を指定する保留増加コマンドを演出制御基板４２側に送信する機能等を備えている。
【００４４】
保留減少コマンドは、図３に示すように、例えば減少後の特別保留個数（ここでは０〜３個）に応じて複数種類（ここでは４種類）設けられている。また、保留増加コマンドは、図３に示すように、例えば増加後の特別保留個数（ここでは１〜４個）に応じた複数種類（ここでは４種類）のコマンドが、先読み判定手段６８による外れ保留記憶、通常大当たり保留記憶、確変大当たり保留記憶の３種類の判定結果に応じて３組設けられている。
【００４５】
演出制御基板４２は、画像表示手段２９、音声出力手段７１、電飾手段７２等の各種演出手段を制御するためのもので、図柄変動演出制御手段７３、特別保留個数表示制御手段７４等を備えている。
【００４６】
図柄変動演出制御手段７３は、演出図柄３４の変動表示制御及びそれに伴う音声出力手段７１、電飾手段７２等の制御を行うもので、主制御基板４１から変動パターンコマンドを受信し、その後所定時間内に停止図柄コマンドを受信することを条件に、演出図柄３４の変動後の停止図柄を抽選により決定すると共に変動パターンコマンドで指定された変動パターンに基づいて画像表示手段２９上で所定の演出画像と共に演出図柄３４の変動を開始させ、変動停止コマンドを受信したときに、抽選により決定された停止図柄で演出図柄３４の変動を停止させ、またその演出図柄３４の変動表示に合わせて音声出力手段７１から所定の効果音を出力し、電飾手段７２を所定のパターンで発光させるようになっている。
【００４７】
特別保留個数表示制御手段（保留個数報知制御手段，予告演出制御手段）７４は、画像表示手段２９への特別保留個数の表示制御を行うもので、保留減少時処理手段７４ａ、保留増加時処理手段７４ｂ等を備え、図４に示す特別保留個数表示制御処理を、例えば所定時間（４ｍｓｅｃ等）毎の定期割込において実行するように構成されている。また本実施形態では、先読み判定結果に関する予告演出（以下、先読み予告演出という）を、特別保留個数の表示を利用して行うようになっており、特別保留個数表示制御手段７４は、特別保留個数の表示制御と併せて先読み予告演出の制御も行う。
【００４８】
図８に示すように、画像表示手段２９の画面上には、特別保留個数の上限個数に対応する４個分の保留表示部Ａ１〜Ａ４と、１個分の保留表示部Ａ０との計５個分の保留表示部Ａ０〜Ａ４が設けられており、特別保留個数表示制御手段７４は、特別保留個数分の保留表示画像Ｘを４つの保留表示部Ａ１〜Ａ４に前詰めで表示することにより（保留個数分の保留表示部を保留表示態様とすることの一例）、特別保留個数を報知するようになっている。また保留表示部Ａ０には、特別図柄及び演出図柄３４の変動表示中にその図柄変動（以下、当該図柄変動という）に対応する保留表示画像Ｘが表示される。なお、保留表示部Ａ０〜Ａ４は画像表示手段２９上に固定的に設ける必要はなく、適宜移動させてもよい。
【００４９】
また、保留表示画像Ｘは任意形状（ここでは円形とする）の画像であり、その表示態様として、一又は複数種類の非予告態様と、複数種類の予告態様とが設けられている（図７参照）。本実施形態では、保留表示画像Ｘの各表示態様は主に表示色において相違しており、非予告態様は白色１種類、予告態様は青色、緑色、赤色、虹色の４種類であるとする。
【００５０】
本実施形態の先読み予告演出は、保留表示部Ａ０〜Ａ４に表示される保留表示画像Ｘの表示態様を、先読み判定結果に応じた予告態様とすることにより行われる。また、先読み予告演出は先読み判定直後には実行されず、その後に特別保留個数が所定個数（ここでは１個）増加すること（図柄始動条件が所定回数成立することの一例）を条件に（以下、予告演出実行条件という）実行されるようになっている。即ち、先読み判定後に保留表示画像Ｘを表示する時点では、その保留表示画像Ｘの表示態様を非予告態様とすることによって先読み予告演出は実行待ちの状態（以下、予告演出実行待ち状態という）となり、その後に特別保留個数が１個増加した時点で、保留表示画像Ｘの表示態様を予告態様に変更することにより先読み予告演出を実行するようになっている。
【００５１】
以下、特別保留個数表示制御手段７４による特別保留個数表示制御処理（図４）について説明する。特別保留個数表示制御処理（図４）では、保留減少コマンドを受信したか否か（Ｓ１）、保留増加コマンドを受信したか否か（Ｓ３）がそれぞれ判定され、保留減少コマンドを受信したと判定された場合には、保留減少時処理手段７４ａによって保留減少時処理（図５）が実行され（Ｓ１：Ｙｅｓ→Ｓ２）、保留増加コマンドを受信したと判定された場合には、保留増加時処理手段７４ｂによって保留増加時処理（図６）が実行される（Ｓ３：Ｙｅｓ→Ｓ４）。
【００５２】
なお本実施形態では、保留減少コマンドと保留増加コマンドとを共に受信したと判定された場合には、保留増加時処理（Ｓ４）よりも保留減少時処理（Ｓ２）が優先的に実行されるようになっているが（図４）、ここでは保留増加時処理から先に説明する。
【００５３】
保留増加時処理手段７４ｂによる保留増加時処理（図６）では、まず画像表示手段２９上の保留表示部Ａ１〜Ａ４の何れかに非予告態様の保留表示画像Ｘが１個追加的に表示される（Ｓ２１）。例えば特別保留個数が１個の場合には、当該図柄変動に対応する保留表示部Ａ０と、保留１個目に対応する保留表示部Ａ１とにそれぞれ保留表示画像Ｘが表示された状態となっているが（図９（ａ），（ｄ））、その状態で特別保留個数が増加した場合には、Ｓ２１において、保留２個目に対応する保留表示部Ａ２に非予告態様（白色）の保留表示画像Ｘが１個追加的に表示される（図９（ｂ），（ｅ））。
【００５４】
Ｓ２１に続いては、予告演出実行待ちフラグがＯＮであるか否かが判定される。予告演出実行待ちフラグは、予告演出実行待ち状態中か否かを設定するためのもので、予告演出実行待ち状態中はＯＮに、それ以外はＯＦＦに設定されるようになっている。
【００５５】
予告演出実行待ちフラグがＯＮでない、即ち予告演出実行待ち状態中でないと判定された場合には（Ｓ２２：Ｎｏ）、特別保留個数が所定個数（ここでは上限個数である４個）未満であることを条件に（Ｓ２６：Ｙｅｓ）、先読み予告演出を行うか否かの抽選が行われる（Ｓ２７）。特別保留個数が上限個数に達しているか（Ｓ２６：Ｎｏ）、又は先読み予告演出を行わない旨の抽選結果が得られた場合には（Ｓ２８：Ｎｏ）、ここで保留増加時処理は終了する。
【００５６】
先読み予告演出を行う旨の抽選結果が得られた場合には（Ｓ２８：Ｙｅｓ）、所定の予告態様抽選テーブルに基づいて複数種類の予告態様の何れかが選択され・記憶される（Ｓ２９）。予告態様抽選テーブル（図７参照）には、先読み判定結果毎に各予告態様の選択率が設定されている。
【００５７】
図７に示す予告態様抽選テーブルでは、虹色の予告態様は，先読み判定結果が確変大当たりの場合にのみ選択され、先読み判定結果が外れ及び通常大当たりの場合には選択されないようになっている。従って、保留表示画像Ｘが虹色で表示された場合には、その保留記憶に対応する図柄変動では必ず確変大当たりとなる。また、虹色以外の３種類の予告態様については、先読み判定結果が通常大当たり及び確変大当たりの場合には青色→緑色→赤色の順に選択率が高くなっているのに対し、先読み判定結果が外れの場合には逆に青色→緑色→赤色の順に選択率が低くなっている。即ち、青色，緑色，赤色の３種類の予告態様においては、大当たりとなる期待度は赤色が最も高く、青色が最も低くなっている。
【００５８】
Ｓ２９で予告態様が選択されると、予告演出実行待ちフラグがＯＮに設定される（Ｓ３０）と共に、Ｓ２１で保留表示画像Ｘが新たに表示された保留表示部（例えばＡ２）の次の保留表示部（例えばＡ３）又はその近傍に、予告演出時実行条件を報知するための予告演出実行条件報知画像Ｙが表示され（Ｓ３１）（予告演出実行条件報知表示の一例）、保留増加時処理は終了する（図９（ｃ））。この予告演出実行条件報知画像Ｙには、例えば任意のキャラクターの画像等を用いることができる。
【００５９】
このように、特別保留個数が増加して非予告態様の保留表示画像Ｘが１個追加表示された場合には（Ｓ２１）、所定条件（Ｓ２６〜Ｓ２８）を満たすことによって予告演出実行待ち状態となり（Ｓ３０）、次の保留表示部又はその近傍に予告演出実行条件報知画像Ｙが表示される（Ｓ３１）。
【００６０】
一方、Ｓ２２において予告演出実行待ちフラグがＯＮである、即ち予告演出実行待ち状態中であると判定された場合には（Ｓ２２：Ｙｅｓ）、今回の特別保留個数の増加によって予告演出実行条件が満たされたため、上述したＳ２６以降の処理に先だって、先読み予告演出の実行に関するＳ２３〜Ｓ２５の処理が行われる。
【００６１】
即ち、予告演出実行待ち状態中の保留表示画像Ｘ、即ちその前のＳ２１で追加された保留表示画像Ｘの一つ前の保留表示画像Ｘの表示態様が、予告演出実行待ち状態となったときに選択された予告態様に変更される（Ｓ２３）。例えば予告演出実行待ち状態中に特別保留個数が２個から３個に増加した場合には（図９（ｄ）→（ｅ））、保留２個目に対応する保留表示画像Ｘが非予告態様である白色から予告態様の一つである例えば赤色に変化する（図９（ｅ）→（ｆ）→（ｇ））。
【００６２】
このとき、次の保留表示部の近傍に表示されている予告演出実行条件報知画像Ｙに、保留表示画像Ｘの表示態様の変更に関連する演出動作を行わせるようにしてもよい。例えば、予告演出実行条件報知画像Ｙを構成するキャラクタが、隣の保留表示画像Ｘをハンマーで叩く動作を行い（図９（ｆ））、これに対応してその保留表示画像Ｘが予告態様に変化する（図９（ｇ））ようにしてもよい。
【００６３】
予告演出実行条件報知画像Ｙは例えば保留表示画像Ｘが予告態様に変化した後に画像表示手段２９上から消去され（Ｓ２４）、予告演出実行待ちフラグはＯＦＦに設定されて予告演出実行待ち状態は終了する（Ｓ２５）。なお、例えばその後のＳ３１で予告演出実行条件報知画像Ｙを再度表示することとなる場合には、Ｓ２４で予告演出実行条件報知画像Ｙを消去するのではなく、例えば図９（ｇ）に示すように予告演出実行条件報知画像Ｙを次の保留表示部に移動させる（例えばキャラクターが乗り移る）ように表示してもよい。
【００６４】
このように、予告演出実行待ち状態中に特別保留個数が１個増加して予告演出実行条件が満たされると（Ｓ２２：Ｙｅｓ）、その時点で先読み予告演出が実行され、それまで非予告態様（白色）で表示されていた保留表示画像Ｘが予め選択されていた予告態様に変更される（Ｓ２４）。
【００６５】
続いて、保留減少時処理手段７４ａによる保留減少時処理（図５）について説明する。この保留減少時処理（図５）では、まず保留表示部Ａ１〜Ａ４に表示されている保留表示画像Ｘがそれぞれ一つ前の保留表示部Ａ０〜Ａ３にシフトされる（Ｓ１１）。例えば特別保留個数が２個の場合には、当該図柄変動に対応する保留表示部Ａ０の他、保留１個目及び２個目に対応する保留表示部Ａ１，Ａ２にそれぞれ保留表示画像Ｘが表示された状態となっているが（図１０（ａ））、その状態で特別図柄及び演出図柄３４の図柄変動が終了して新たな図柄変動が開始されることによって特別保留個数が減少した場合には、Ｓ１１において、保留表示部Ａ０の保留表示画像Ｘが消去されると共に、保留表示部Ａ１，Ａ２の保留表示画像Ｘがそれぞれ保留表示部Ａ０，Ａ１にシフトされる（図１０（ｂ））。
【００６６】
そして、予告演出実行待ちフラグがＯＮであるか否かが判定され（Ｓ１２）、予告演出実行待ちフラグがＯＮでない、即ち予告演出実行待ち状態中でないと判定された場合（Ｓ１２：Ｎｏ）にはここで保留減少時処理は終了する。
【００６７】
予告演出実行待ちフラグがＯＮである、即ち予告演出実行待ち状態中であると判定された場合（Ｓ１２：Ｙｅｓ）には、予告演出実行条件報知画像Ｙが保留表示部Ａ２〜Ａ４の何れかに対応する位置に表示されているか否かが判定される（Ｓ１３）。そして、予告演出実行条件報知画像Ｙが保留表示部Ａ２〜Ａ４の何れかに対応する位置に表示されている場合には（Ｓ１３：Ｙｅｓ）、図１０（ａ）→（ｂ）に示すように、その予告演出実行条件報知画像Ｙの表示位置が、例えば保留表示画像Ｘのシフト（Ｓ１１）と同時に一つ前の保留表示部に対応する位置にシフトされ（Ｓ１４）、保留減少時処理は終了する。
【００６８】
一方、予告演出実行条件報知画像Ｙが保留表示部Ａ１に対応する位置に表示されている場合には（Ｓ１３：Ｎｏ）、図１０（ｃ）→（ｄ）に示すように、例えば保留表示画像Ｘのシフト（Ｓ１１）と同時に予告演出実行条件報知画像Ｙは画像表示手段２９上から消去され（Ｓ１５）、予告演出実行待ちフラグはＯＦＦに設定されて予告演出実行待ち状態は終了し（Ｓ１６）、保留減少時処理は終了する。
【００６９】
このように、特別保留個数の減少時には、予告演出実行条件報知画像Ｙは原則として保留表示画像Ｘと共にシフトし、予告演出実行待ち状態は継続するが、例えば予告演出実行待ちの対象である保留記憶に対応する図柄変動が終了した場合には、予告演出実行待ち状態は終了し、予告演出実行条件報知画像Ｙは画像表示手段２９上から消去される。
【００７０】
以上説明したように、本実施形態のパチンコ機は、先読み予告演出を、先読み判定後に特別保留個数が１個増加すること（図柄始動条件が一以上の所定回数成立すること）を条件に行うように構成されているため、遊技者に発射継続に対するインセンティブが働き、予告演出によって遊技者の遊技意欲を喚起しつつ、いわゆるアウト数の低下を抑制して遊技ホールの稼働率を高く維持できる。
【００７１】
以上、本発明の実施形態について詳述したが、本発明はこの実施形態に限定されるものではなく、本発明の趣旨を逸脱しない範囲で種々の変更が可能である。例えば、実施形態では、先読み予告演出を、先読み判定後に特別保留個数が１個増加すること（図柄始動条件が１回成立すること）を条件に行うように構成したが、特別保留個数が２個以上の所定個数増加すること（図柄始動条件が２回以上の所定回数成立すること）を条件に先読み予告演出を行うように構成してもよい。また、先読み判定後に特別保留個数が１個以上の所定個数増加すること（図柄始動条件が１回以上の所定回数成立すること）は先読み予告演出を行うための一条件に過ぎず、例えば予告演出を行うか否かの抽選（例えば確率１／２）で当選すること等のその他の条件を更に加えてもよい。
【００７２】
また、実施形態では特別保留個数の増加（図柄始動条件の成立）を先読み予告演出を行うための条件としているが、これに限らず、遊技領域２３に設けた遊技球検出手段が遊技球を１以上の所定回数検出することを先読み予告演出を行うための条件としてもよい。この場合の遊技球検出手段は、特別図柄始動手段２６はもちろん、普通図柄始動手段２５、普通入賞手段２８等でもよいし、先読み予告演出を行うための条件判定専用の遊技球検出手段を設けてもよい。また、遊技球検出手段は一つに限られず、複数の遊技球検出手段による遊技球の検出回数が所定回数となることを先読み予告演出を行うための条件としてもよい。なおこの場合も、遊技領域２３に設けた遊技球検出手段が遊技球を１以上の所定回数検出することは先読み予告演出を行うための一条件に過ぎず、例えば予告演出を行うか否かの抽選（例えば確率１／２）で当選すること等のその他の条件を更に加えてもよい。
【００７３】
実施形態では、特別保留個数が上限個数未満であることを予告演出実行の条件とすることにより（図６のＳ２６）、保留上限数（４個）を超える始動入賞を予告演出実行の条件としないように構成したが、保留上限数（４個）を超える始動入賞が予告演出実行の条件となる場合があってもよい。即ち、実施形態において図６のＳ２６を削除すると、保留４個目の保留表示画像Ｘに対する先読み予告演出が実行待ちとなった場合、特別保留個数が１個減少するまでに先読み予告演出を実行するためには保留上限数（４個）を超える始動入賞が必要となる。
【００７４】
実施形態では、所定の保留記憶に対する先読み予告演出が実行待ちとなった時点で予告態様を選択するように構成したが（図６のＳ２９）、予告態様の選択は例えば先読み予告演出を実行する際に行うようにしてもよい。
【００７５】
実施形態では、先読み判定手段６８により、大当たり判定乱数値が大当たり判定値と一致するか否か、及び大当たり図柄乱数値が確変判定値と一致するか否かに応じて、外れ保留記憶、通常大当たり保留記憶、確変大当たり保留記憶の何れであるかを判定し、その先読み判定結果に基づいて複数種類の予告態様の何れかを選択するように構成したが、予告態様の選択に用いる先読み判定の内容は、利益状態の発生に関するものであればどのようなものでもよい。例えば、大当たり判定乱数値が大当たり判定値と一致するか否かに関する先読み判定結果のみに基づいて予告態様を選択してもよいし、大当たり図柄乱数値が確変判定値と一致するか否か（大当たり態様となった場合に確変状態が発生するか否か）に関する先読み判定結果のみに基づいて予告態様を選択してもよい。
【００７６】
実施形態では、所定の保留記憶（乱数値）に対する先読み予告演出が実行待ちとなった後、その保留記憶に対応する図柄変動が終了するまでその実行待ち状態を継続するように構成したが、それ以前の所定のタイミング、例えば予告演出実行待ち状態にある保留記憶に対応する図柄変動の開始時点で予告演出実行待ち状態を終了するようにしてもよい。
【００７７】
実施形態では、画像表示手段２９の画面上の保留表示部Ａ１〜Ａ４に特別保留個数分の保留表示画像Ｘを表示することにより特別保留個数を報知すると共に、先読み判定結果に基づいて保留表示画像Ｘの表示態様を複数種類の予告態様の何れかに変更することにより先読み予告演出を行うように構成したが、保留個数の報知態様は任意であり、例えば特別保留個数分の発光体（保留表示部）を発光させる（保留表示態様とする）ことにより保留個数を報知するように構成し、先読み判定結果に基づいてその発光色を複数種類の予告態様の何れかに変更することにより先読み予告演出を行うようにしてもよい。この場合、例えば次の保留表示部を点滅させる等により予告演出実行条件報知表示を行うようにしてもよい。
【００７８】
当該図柄変動に対応する保留表示部Ａ０は設けなくてもよい。保留表示画像Ｘ等の予告態様は２種類、３種類、或いは５種類以上でもよい。非予告態様を複数種類設けてもよい。
【００７９】
先読み予告演出を、先読み判定直後に行う場合があってもよい。また、先読み予告演出を実行するための条件を遊技状態等に応じて変更してもよい。即ち、例えば図柄始動条件が１回成立することを条件に先読み予告演出を実行する場合と、図柄始動条件が２回成立することを条件に先読み予告演出を実行する場合とを遊技状態等に応じて変更してもよい。
【００８０】
また本発明は、アレンジボール機、雀球遊技機等の各種弾球遊技機の他、スロットマシン等の弾球遊技機以外の遊技機においても同様に実施することが可能である。
【符号の説明】
【００８１】
２９        画像表示手段
３２        特別図柄表示手段（図柄表示手段）
６３        特別乱数記憶手段（乱数記憶手段）
６４ａ      大当たり判定手段（変動開始時判定手段）
６６        特別利益状態発生手段（利益状態発生手段）
６８        先読み判定手段
７４        特別保留個数表示制御手段（予告演出制御手段）
Ａ１〜Ａ４  保留表示部
Ｙ          予告演出実行条件報知画像
【図１】
2015020016.tif 000003
【図２】
2015020016.tif 000004
【図３】
2015020016.tif 000005
【図４】
2015020016.tif 000006
【図５】
2015020016.tif 000007
【図６】
2015020016.tif 000008
【図７】
2015020016.tif 000009
【図８】
2015020016.tif 000010
【図９】
2015020016.tif 000011
【図１０】
2015020016.tif 000012